(57)【特許請求の範囲】
【請求項１】
入力映像信号を１画面内の第1、第２の領域に表示するための第1、第２の分割信号に変換する映像生成モジュールと、前記第1、第２の分割信号を受け取りそれぞれ表示用の信号として調整し、表示部へ出力する第1、第２の分割信号制御部を有し、
前記第1、第２の分割信号制御部は、複数フレームのための分割信号を順次格納する第１、第２のフレームメモリグループを有し、
前記第1の分割信号制御部は、
前記第１のフレームメモリグループに最後に入力した左及び右眼用の映像信号の出力準備が完了しているか否かの判定出力を得る準備完了検出モジュールと、
前記出力準備の完了又は未完了を示す判定出力に応答して、前記第1、第２のフレームメモリグループの中らから左眼用及び右眼用の映像信号を読み出すためのメモリ選択状態を変化させる第１の出力選択モジュールを有することを特徴とする映像信号処理装置。
【請求項２】
前記準備完了検出モジュールは、前記第１のフレームメモリグループから出力している左又は右眼用の映像信号の表示期間に、前記判定出力を得ることを特徴とする請求項１記載の映像信号処理装置。
【請求項３】
前記第２の分割信号制御部は、第２の出力選択モジュールを有し、この第２の出力選択モジュールは、前記判定出力に応答して前記第２のフレームメモリグループ内の複数のフレームメモリ中らから左眼用と右眼用の映像信号を読み出すためのメモリ選択状態が変化することを特徴とする請求項２記載の映像信号処理装置。
【請求項４】
前記第１及び第２の出力選択モジュールはそれぞれ、前記出力準備が完了しているときは、最後に前記出力準備が完了した左及び右眼用の映像信号を格納している最新映像用フレームメモリを選択し、前記出力準備が未完了のときは、前記最後に入力した左又は右眼用の映像信号よりも以前に入力した左及び右眼用の映像信号を格納しているリピート映像用フレームメモリを選択することを特徴とする請求項３記載の映像信号処理装置。
【請求項５】
前記第１と第２の出力選択モジュール（１１５−２）（１２５−２）は、立体視映像表示のための左及び右眼用の映像信号を読み出すための第１のメモリ選択モードと、２次元映像表示のための映像信号を読み出すための第２のメモリ選択モードとに切り替え可能であることを特徴とする請求項３記載の映像信号処理装置。
【請求項６】
入力映像信号を１画面内の第1、第２の領域に表示するための第1、第２の分割信号に変換する映像生成モジュールと、前記第1、第２の分割信号を受け取りそれぞれ表示用の信号として調整し、表示部へ出力する第1、第２の分割信号制御部を有し、前記第1、第２の分割信号制御部は、複数フレームのための分割信号を順次格納する第１、第２のフレームメモリグループを含み、
前記第１のフレームメモリグループに最後に入力した左及び右眼用の映像信号の出力準備が完了しているか否かの判定出力を得て、
前記判定出力に応答して、第1、第２のフレームメモリグループの中らから左眼用及び右眼用の映像信号を読み出すためのメモリ選択状態を変化させ、
前記出力準備が完了しているときは、最後に前記出力準備が完了した左及び右眼用の映像信号を格納している最新映像用フレームメモリを選択し、前記出力準備が未完了のときは、前記最後に入力した左又は右眼用の映像信号よりも以前に入力した左及び右眼用の映像信号を格納しているリピート映像用フレームメモリを選択することを特徴とする映像信号処理方法。
【発明の詳細な説明】
【技術分野】
【０００１】
本開示は映像信号処理装置及び方法に関する。
【背景技術】
【０００２】
最近では、高解像度の画像を表示する映像信号処理装置が開発されている。高解像度を得るために、映像信号を表示部に出力するときに、水平方向及び垂直方向の画素数を増加させて出力する技術がある。また、表示部の画面の大型化に伴い、例えば、画面を複数の領域に区分し、前記複数の領域に表示されるそれぞれの映像信号を、独立した複数の出力制御部でそれぞれ処理して出力する装置も開発されている。さらに、3次元表示（立体視表示）を行う映像信号処理装置も開発されている。
【先行技術文献】
【特許文献】
【０００３】
【特許文献１】特開２００２−１３２２４９号公報
【発明の概要】
【発明が解決しようとする課題】
【０００４】
1画面を複数の領域に区分し、それぞれの領域に映像信号を表示する場合、複数の領域の映像信号の同期を得ることは重要である。3次元表示を行う装置においても、複数の領域に映像信号を表示することが考えられる。
【０００５】
しかし3次元表示を行う装置において、従来と同じ同期技術をそのまま用いた場合、立体像の破綻が生じてしまう場合がある。
【０００６】
そこで本実施例は、3次元表示を行う装置において、1画面の複数の領域に映像信号を割り当てた場合、3次元表示を安定してられるようにした映像信号処理装置及び方法を提供することを目的とする。
【課題を解決するための手段】
【０００７】
実施形態によれば、入力映像信号を１画面内の第1、第２の領域に表示するための第1、第２の分割信号に変換する映像生成モジュールと、前記第1、第２の分割信号を受け取りそれぞれ表示用の信号として調整し、表示部へ出力する第1、第２の分割信号制御部を有し、前記第1、第２の分割信号制御部は、複数フレームのための分割信号を順次格納する第１、第２のフレームメモリグループを含み、前記第1の分割信号制御部は、前記第１のフレームメモリグループに最後に入力した左及び右眼用の映像信号の出力準備が完了しているか否かの判定出力を得る準備完了検出モジュールと、前記出力準備の完了又は未完了を示す判定出力に応答して、第1、第２のフレームメモリグループの中らから左眼用及び右眼用の映像信号を読み出すためのメモリ選択状態を変化させる第１の出力選択モジュールを有する。
【図面の簡単な説明】
【０００８】
【図１】実施形態のブロックを示す図である。
【図２】図１の表示信号制御部１１０，１２０の構成例を示す図である。
【図３】実施形態の動作例を説明するために左右画面ペアの入力映像信号の例を示す図である。
【図４】図１の表示信号制御部１１０，１２０の動作例を説明するために示したフローチャートである。
【図５】図１の表示信号制御部１１０，１２０の動作例を説明するために、左右画面ペアの入力映像信号のフレーム配列の例と、表示用として出力された左右画面ペアの力映像信号フレームの関係を示す図である。
【図６】図２の表示信号制御部１１０，１２０のさらに具体的ブロック構成例を示す図である。
【図７】図２の表示信号制御部１１０のさらにまた具体的ブロック構成例を示す図である。
【図８】図７の表示信号制御部１１０が動作するときの他の動作例を示すブロック構成例を示す図である。
【発明を実施するための形態】
【０００９】
以下、実施の形態について、図面を参照して説明する。図１において映像信号処理装置１００はコネクタ１０７を介して表示部２００が接続されている。表示部２００は、例えば液晶パネルを用いた表示部あるいは発光素子パネルを用いた表示部である。
【００１０】
映像信号処理装置１００は、リモコン信号レシーバ１０１を介して、リモートコントローラ（図示せず）から送信されてくる操作信号を受け取ることができる。操作信号が入力すると、制御部１０２は操作信号を解読し、制御部１０２はユーザが操作した内容を映像信号処理装置の動作に反映する。
【００１１】
操作信号は、電源のオンオフ、チャンネル及び番組の選択、画質調整信号（輝度調整、色相調整、など）の入力、各種機能のオンオフ、装置入力の選択切り替え等を行うための信号である。
【００１２】
端子１０３を介して放送信号が入力し、チューナ１０４は、操作信号に応じてチャンネル及び番組選択を行う。選択された番組の復調信号は、映像生成モジュール１０５に送られる。映像生成モジュール１０５は、復調信号の中の映像情報、オーディオ情報、制御情報を分離する。オーディオ情報は、図示していないオーディオ信号処理部へ送られる。制御情報は、例えば制御部１０２に送られる。
【００１３】
また映像生成モジュール１０５は、復調された入力映像信号をデコードし、輝度信号Yおよび色差信号Cr, Cbを得る。映像生成モジュール１０５は、入力映像信号を１画面内の複数の領域に表示するための複数の表示信号に変換する。変換処理は、例えば輝度信号Yおよび色差信号Cr, Cbを処理し複数の分割信号R,G,Bに変換する処理を含む。
【００１４】
映像生成モジュール１０５は、チューナ１０４からの復調信号だけでなく、入力端子１０６を介して、外部の機器やインターネットなどからの映像情報及び音声情報も取り込むことができる。外部の機器としては、ハードディスクドライブ（HDD）,光ディスクの記録再生装置、半導体メモリデバイスなどがある。
【００１５】
映像生成モジュール１０５から出力された複数の分割信号（この実施形態では２つ）は、それぞれ分割信号制御部１１０、１２０に入力される。２つの分割信号は、例えば１画面の左半分用と右半分用の画像となる。左右の画像用の２つの分割信号は、それぞれ1画面上の左右の領域にそれぞれ画像として表示される。この例では、わかりやすくするために左右の画像に分割して処理する例を示すが、さらに分割数は、さらに多くてもよい。
【００１６】
上記した入力映像信号は、立体表示を行うための左右眼用の映像信号であり、例えば左右眼用の２つの映像信号が、空間方向へ交互に配列されている。立体表示のための配列方法はこの形態に限らず、例えば奇数ラインが左用の映像信号、偶数ラインが右目用の映像信号であっても良い。さらには、水平方向へ左、右眼用映像として多数交互に配列された映像信号でもよい。
【００１７】
図２は、分割信号制御部１１０、１２０の内部のブロック構成例を示している。２つの分割信号制御部１１０と１２０は同じ構成であるので片方を代表して説明する。映像生成モジュール１０５からの分割信号は、入力インターフェース１１１を介して映像処理モジュール１１２に入力される。
【００１８】
映像処理モジュール１１２は、制御部（図示せず）から与えられる制御信号（例えば、輝度調整、色相調整など調整パラメータなど）に基づいて、分割信号を処理する。また、水平画素数、垂直画素数の増大処理、１２０Hｚのフレーム周波数を２４０Hzのフレーム周波数に変換する処理なども行う。映像処理モジュール１１２で処理された分割信号は、複数フレームを格納できるフレームバッファ１１３に入力され、ここで分割信号の複数フレーム分の格納が行われる。
【００１９】
フレームバッファ１１３に格納された分割信号のバッファ状態は、フレーム管理モジュール１１５により管理される。フレームバッファ１１３に左右眼用の分割信号が整っている場合、フレーム管理モジュール１１５の指示によって、左右眼用の分割信号は、出力インターフェース１１４を介して、表示部２００の対応する左表示領域へ出力される。またフレームバッファ１２３に左右眼用の分割信号が整っている場合、マスター側であるフレーム管理モジュール１１５は、スレーブ側のフレーム管理モジュール１２５へ出力を承認する旨の準備完了検出信号を送信する。これにより、フレームバッファ１２３からも左右眼用の分割信号が、出力インターフェース１２４を介して、表示部２００の対応する右表示領域へ出力される。
【００２０】
後でも説明するが、フレームバッファ１１３は、複数フレームのための対応する分割信号を順次格納する第１のフレームメモリグループを含み、フレームバッファ１２３は、複数フレームのための対応する分割信号を順次格納する第２のフレームメモリグループを含む。
【００２１】
図３は、映像生成モジュール１０５に入力する立体視表示を行うための左右眼用の映像信号であり、例えば左右眼用の２つの映像信号が、空間方向へ交互に配列されている。この映像信号は、映像生成モジュール１０５において分割されて、左領域用の分割信号と右領域用の分割信号として出力される。左領域用の分割信号は、分割信号制御部１１０に入力され、右領域用の分割信号は分割信号制御部１２０に入力される。
【００２２】
図４と図５は、分割信号制御部１１０と、分割信号制御部１２０とで立体表示用のフレームが管理されるときの動作説明図である。表示部２００では、分割信号制御部１１０と分割信号制御部１２０から、同時に左眼用のフレームが同期して出力され、次に同時に右眼用のフレームが同期して出力される。
【００２３】
このように、立体視表示のためには、左と右眼用のフレームの２フレームが連続して（交互に）出力されなければならない。このためにフレーム管理モジュール１１５は、立体視表示が維持されるように図４に示すような動作を実行している。例えば、フレーム番号ｎ番の左（L）及び右（R）眼用の２フレームが連続して表示されている最中に、次の(n+1)番の左（L）及び右（R）眼用の２フレームがフレームバッファ１１３に準備されているかどうかの判断が行われる（ステップSA1,SA2）。準備が整っていない場合には、フレーム番号ｎ番の左（L）又は右（R）眼用の２フレームが再利用され、次の表示期間も繰り返して表示される（ステップSA3）。
【００２４】
ステップSA2において、(n+1)番の左（L）及び右（R）眼用の２フレームがフレームバッファ１１３に準備されている場合は、さらに例えば次の(n+２)番の左（L）及び右（R）眼用の２フレームがフレームバッファ１１３に準備されているかどうかの判断が行われる（ステップSA４）。このとき(n+２)番の左（L）及び右（R）眼用の２フレームに限定されることはなく、このフレーム以後の左（L）及び右（R）眼用の２フレームがフレームバッファ１１３に準備されているかどうかの判断がなされる。
【００２５】
ステップSA4において、(n+1)番の左（L）及び右（R）眼用の２フレーム以降の最新の左（L）及び右（R）眼用の２フレームがフレームバッファ１１３に準備されている場合は、当該最新の左（L）及び右（R）眼用の２フレームを表示対象として出力する（ステップSA6）。しかし、ステップSA4において、(n+1)番の左（L）及び右（R）眼用の２フレーム以降の最新の左（L）及び右（R）眼用の２フレームがフレームバッファ１１３に準備されていない場合は、当該(n+1)番の左（L）及び右（R）眼用の２フレームを表示対象として出力する（ステップSA5）。
【００２６】
図５は、上記の動作を入力分割信号の時系列とともに示している。5ｂは分割信号制御部１１０に入力する分割信号、５ｇは分割信号制御部１２０に入力する分割信号である。それぞれの分割信号は、左（L）眼用,右（R）眼用のフレームが交互に時間軸上に配列されている。図ではフレーム順番をわかりやすくするために各分割信号にフレーム番号を付している。分割信号制御部１１０と分割信号制御部１２０においては、左領域用の分割信号と右領域用の分割信号が同期してフレームバッファ１１３、１２３に格納される。また格納されたフレームは、それぞれの分割信号制御部１１０と１２０のフレーム管理モジュール１１５と１２５により、表示部の左右領域に適合するように出力される。
【００２７】
図５において、さらに、５ｃは左領域に表示されるフレームの順番、５ｈは右領域に表示されるフレームの順番を示している。５aは、分割信号がフレームバッファ１１３に入力し、左（L）眼用,右（R）眼用のフレームの組として準備完了した時刻を示している。この準備が完了したかどうかの判断は、フレーム管理モジュール１１５が行う。図の例では時刻ｔ１では、分割信号の左（L）眼用,右（R）眼用のフレーム（番号３）の準備が整っている。時刻ｔ２では、分割信号の左（L）眼用,右（R）眼用のフレーム（番号４）の準備が整っている。時刻ｔ３では、分割信号の左（L）眼用,右（R）眼用のフレーム（番号５）の準備が整っている。
【００２８】
図５において５ｃは、左領域に表示される左（L）眼用,右（R）眼用のフレームの順番であり、左（L）眼用,右（R）眼用の組の表示が完了する前に準備完了判断時刻５ｄが設定されている。図の例では、準備完了判断時刻T１は、表示された右（R）眼用のフレーム２Rが表示終了する前である。また準備完了判断時刻T２は、表示された右（R）眼用のフレーム３Rが表示終了する前である。また準備完了判断時刻T３は、表示された右（R）眼用のフレーム５Rが表示終了する前である。
【００２９】
今、右（R）眼用のフレーム２Rの表示が終了する前の準備完了判断時刻T1に着目してみる。この時刻T1では、次の左（L）眼用,右（R）眼用のフレーム３L,3Rは、準備完了しているが、左（L）眼用,右（R）眼用のフレーム４L,４Rは、準備が完了していない。左（L）眼用,右（R）眼用のフレーム４L,４Rは、時刻ｔ２になると準備完了することとなる。
【００３０】
したがって、この場合は、次の左（L）眼用,右（R）眼用のフレーム３L,3Rが表示用として出力される。次に右（R）眼用のフレーム３Rの表示が終了する前の準備完了判断時刻T２に着目してみる。この時刻T２では、左（L）眼用,右（R）眼用のフレーム４L,４Rの準備が完了しているとともに、さらに新しい左（L）眼用,右（R）眼用のフレーム５L,５Rの準備も完了している。
【００３１】
したがって、表示の順番は、最新の番号のフレームを出力することになり、左（L）眼用,右（R）眼用のフレーム４L,４Rをスキップし、次の左（L）眼用,右（R）眼用のフレーム５L,５Rが表示用として出力される。このときは、フレーム管理モジュール１１５は、スキップ指令信号５eを出力し、フレーム管理モジュール１２５に与える。するとこのフレーム管理モジュール１２５もフレームバッファ１２３を制御し、右（R）眼用のフレーム３Rの表示の次に、左（L）眼用,右（R）眼用のフレーム４L,４Rをスキップし、次の左（L）眼用,右（R）眼用のフレーム５L,５Rを表示用として出力する。
【００３２】
次に右（R）眼用のフレーム８Rの表示が終了する前の準備完了判断時刻T６に着目してみる。この時刻T６では、左（L）眼用,右（R）眼用のフレーム９L,９Rの準備が時刻ｔ７で完了しているが、１０L,１０Rは、準備完了していない。したがって、この場合は、左（L）眼用,右（R）眼用のフレーム９L,９Rが表示用として出力される。次に、右（R）眼用のフレーム９Rの表示が終了する前の準備完了判断時刻T７に着目してみる。この時刻T７では、本来１０L,１０Rが準備完了していれば好ましいのであるが、１０L,１０Rは、まだ準備完了していない。このような場合は、準備の完了している左（L）眼用,右（R）眼用のフレーム９L,９Rが再度表示用として出力される。
【００３３】
また準備完了判断時刻T７の時点で、リピート指令信号５ｆがフレーム管理モジュール１１５からフレーム管理モジュール１２５に与えられる。
【００３４】
これにより、分割信号制御部１１０、分割信号制御部１２０からは左右眼用のフレーム（各フレームは左右領域用の信号で構成されている）が同期して出力され、立体表示を確実に行うことができる。つまりこの実施形態は、立体表示の破綻が生じないように、表示用信号を出力することができる。
【００３５】
例えば、時刻T１に連続して、左（L）眼用,右（R）眼用のフレーム４L,４Rをスキップせずに、出力した場合、右（R）眼用のフレーム４Rの情報が不足する。すると、例えば画面の上の領域は立体視できるが、下の領域では４Rが欠落するために４Lのみによる２次元映像として観察され、立体視映像が不自然なものとなる。また、時刻T7に連続して、左（L）眼用,右（R）眼用のフレーム９L,９Rをリピートせずに、左（L）眼用,右（R）眼用のフレーム１０L,１０Rを出力した場合、右（R）眼用のフレーム１０Rの情報が不足する。この場合も、画面の上の領域は立体視できるが、下の領域では１０Rが欠落するために１０Lによる２次元映像として観察され、立体視映像が不自然なものとなる。本実施形態によると、このような破綻が生じず、安定した立体視状態を維持できる。
【００３６】
図６は上記の動作を実現するために、さらに分割信号制御部１１０、分割信号制御部１２０内の特にフレーム管理モジュール内のブロックを示している。フレーム管理モジュール１１５、１２５内にはそれぞれ準備完了検出モジュール１１５−１、１２５−１と、出力選択モジュール１１５−２、１２５−２が含まれる。
【００３７】
準備完了検出モジュール１１５−１は、図５で説明したように、準備完了判断時刻のときに次に表示すべきフレームの準備が完了しているかどうかを判断している。出力選択モジュール１１５−２、１２５−２は、準備完了検出モジュール１１５−１の検出結果に基づいて、フレームバッファ１１３，１２３から出力すべきフレームを選択して出力する。
【００３８】
ここでの説明は、フレーム管理モジュール１１５がマスター、フレーム管理モジュール１２５がスレーブとして機能するので、フレーム管理モジュール１２５は、出力選択モジュール１２５−２のみを備えればよいが、分割信号制御部１１０、１２０を一括して製造する場合には、フレーム管理モジュール１１５、１２５も同一構成としたほうが製造コストでは有利である。そして、出力選択モジュール１１５−２、１２５−２の指令信号の受け取り端子が切り替え可能に製作されることで、図６に示したような接続構成を実現することができる。
【００３９】
図７には、フレームバッファ１１３、準備完了検出モジュール１１５−１及び出力選択モジュール１１５−２の基本的関係を原理的に示している。
【００４０】
フレームバッファ１１３内では、フレームメモリ４０１−４０４が直列接続されている。フレームメモリ４０１−４０４は、読出しアドレスRadd,書き込みアドレスWaddにより同期してデータの読出し書き込みを行っている。フレームメモリ４０１−４０４の各出力は、それぞれスイッチ４１１−４１４を介して出力インターフェース１１４（図示せず）を通り、表示部２００の入力処理器２１１に供給することができる。
【００４１】
スイッチ４１１−４１４は、出力選択モジュール１１５−２によりオンオフ制御される。直前に出力したフレームがフレームメモリ403及びフレームメモリ404に記録されていたとすると、最新の左（L）眼用,右（R）眼用のフレームが出力されるときは、スイッチ４１２が１フレーム期間オンされ（Lフレーム読出し期間），次にスイッチ４１１が１フレーム期間オンされる（Rフレーム読出し期間）。リピート用の左（L）眼用,右（R）眼用のフレームが出力されるときは、スイッチ４１４が１フレーム期間オンされ（Lフレーム読出し期間），次にスイッチ４１３が１フレーム期間オンされる（Rフレーム読出し期間）。直前に出力したフレームがフレームメモリ401及びフレームメモリ402に記録されていたのであれば、上記説明のスイッチ412はスイッチ414、スイッチ411はスイッチ413に、スイッチ414はスイッチ412、スイッチ411はスイッチ413に対応する。
【００４２】
上記のスイッチの選択は、準備完了検出モジュール１１５−１からのカウンタ５０１のカウント出力に基づいて行われる。カウンタ５０１は、フレームメモリ４０１−４０４の書き込みアドレスが最終アドレスに到達したときに、カウントアップされる。また、このカウンタ５０１の内容は、表示部２００の入力処理器２１１からのパルスに応答して出力される。入力処理器２１１は、表示部２００の表示期間を設定するとともに、入力信号を表示素子へ伝送している。したがって、表示期間の後半の準備完了判断時刻のパルス（図５の５ｄ）を出力することができる。表示期間の後半は、この例では右（R）眼用のフレームの表示期間の後半であるが、必ずしも右（R）眼用のフレームの表示期間の後半に限定されない。ペアとなる３D映像信号の送信順序が右（R）眼用のフレームの次に左（L）眼用のフレームが送信されるのであれば、準備完了判断時刻は、左（L）眼用のフレームの後半となる。また、処理遅延等の理由から、前半、もしくはペアとなるフレームの先行する側が判断時刻となっても構わない。
【００４３】
準備完了検出モジュール１１５−１は、この準備完了判断時刻のパルスが入力したとき、カウンタ５０１の内容がスイッチ６１１を介して出力選択モジュール１１５−２に供給される。またカウンタ５０１の内容は、フレーム管理モジュール１２５内の出力選択モジュール１２５−２にも供給される。出力選択モジュール１２５−２にもスイッチ６１１と同様なスイッチが接続されており、出力選択モジュール１２５−２のスイッチは、外部からのカウンタ出力を受け付けるように切り替えられている。カウンタ５０１の出力があったとき、すぐにカウンタ内容はクリアされる。
【００４４】
上記のようにスイッチ６１１を設けることにより、フレーム管理モジュール１１５、１２５のいずれかをマスター、他方をスレーブというように切り替えが可能である。マスターのフレーム管理モジュールの準備完了検出動作に異常が生じた場合は、他のフレーム管理モジュールをマスターに切り替えことができる。
【００４５】
上記の基本構成により、図４、図５で説明したような動作を実現することができる。即ち、第1の分割信号制御部１１０内において、準備完了検出モジュール１１５−１は、第１のフレームメモリグループに最後に入力した左及び右眼用の映像信号の出力準備が完了しているか否かの判定出力を得る。出力選択モジュール１１５−２は、出力準備の完了又は未完了を示す判定出力に応答して、第1、第２のフレームメモリグループの中らから左眼用及び右眼用の映像信号を読み出すためのメモリ選択状態を変化させる。ここで、準備完了検出モジュール１１５−１は、第１のフレームメモリグループから出力している左又は右眼用の映像信号の表示期間の例えば後半に判定出力を得るようにしている。
【００４６】
具体的には、第１及び第２の出力選択モジュール１１５−２、１２５−２はそれぞれ、出力準備が完了しているときは、最後に前記出力準備が完了した左及び右眼用の映像信号を格納している最新映像用フレームメモリを選択し、出力準備が未完了のときは、最後に入力した左又は右眼用の映像信号よりも以前に入力した左及び右眼用の映像信号を格納しているリピート映像用フレームメモリを選択している。
【００４７】
今までの説明は、立体視映像の映像信号を処理するために、立体視表示用の左（L）眼用,右（R）眼用のフレームが連続して出力されることを説明した。このときの出力選択モジュール１１５−２、１２５−２によるメモリ選択を第１のメモリ選択モードとする。
【００４８】
しかし、本装置は、２次元映像の映像信号を処理する場合にも容易にメモリ選択モードを切り替えて適用できる。このときは、出力選択モジュール１１５−２、１２５−２によるメモリ選択を第２のメモリ選択モードとする。
【００４９】
第１、第２のメモリ選択モードを切り替えるために、出力選択モジュール１１５−２、１２５−２には、それぞれ立体視映像,2次元映像切り替え信号を与えることができる。
【００５０】
図８には、2次元映像（２次元表示）モードに切り替わった場合の出力選択モジュール１１５−２の動作条件を示している。この動作モードのときは、出力選択モジュール１１５−２は、カウンタ内容が１以上のときは、例えばスイッチ４１１をオンする。他のスッチ４１２，４１３及び４１４はオフ状態とされる。これにより最新のフレームがフレームメモリ４０１から読み出される。しかし、カウンタ内容が０のときはスイッチ４１２のみがオンされて、リピートフレームがフレームメモリ４０２から読みだされる。以上説明したようにこの実施例では立体視映像モード、2次元映像モードの切り替えも容易である。
【００５１】
なお、上記説明ではフレームメモリを2組として説明したが、内部処理の都合等でより３以上のフレームメモリを有しても構わない。図4のSA6は、フレームメモリを3組以上有する場合に実施されることがある。
【００５２】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１００・・・映像信号処理装置、１０１・・・リモコン信号レシーバ、１０２・・・制御部、１０４・・・チューナ、１０５・・・映像生成モジュール、１１０、１２０・・・分割信号制御部、２００・・・表示部、１１３，１２３・・・フレームバッファ、１１５，１２５・・・フレーム管理モジュール、１１５−１、１２５−１・・・準備完了検出モジュール、１１５−２、１２５−２・・・出力選択モジュール。
【要約】
【課題】3次元表示を行う装置において、1画面の複数の領域に映像信号を割り当てた場合、3次元表示を安定してられるようにする。
【解決手段】映像生成モジュールは、入力映像信号を１画面内の第1、第２の領域に表示するための第1、第２の分割信号に変換する。第1、第２の分割信号制御部は、前記第1、第２の分割信号を受け取りそれぞれ表示用の信号として調整し、表示部へ出力する。第1、第２の分割信号制御部は、複数フレームのための分割信号を順次格納する第１、第２のフレームメモリグループを含む。第1の分割信号制御部は、前記第１のフレームメモリグループに最後に入力した左及び右眼用の映像信号の出力準備が完了しているか否かの判定出力を得る。そして前記出力準備の完了又は未完了を示す判定出力に応答して、第1、第２のフレームメモリグループの中らから左眼用及び右眼用の映像信号を読み出すためのメモリ選択状態を変化させる。
【選択図】図２【図１】
0004806090.tif 000002
【図２】
0004806090.tif 000003
【図３】
0004806090.tif 000004
【図４】
0004806090.tif 000005
【図５】
0004806090.tif 000006
【図６】
0004806090.tif 000007
【図７】
0004806090.tif 000008
【図８】
0004806090.tif 000009